(57)【要約】【課題】手摺り本体を伸縮調整可能に構成することにより、この手摺り本体を交差筋違の斜材に対しうまく取り付けることができるようにした補助手摺りを提供する。【解決手段】枠組足場の建枠１，１間に張架される一対の斜材２ａ，２ａからなる交差筋違２の斜材２ａ，２ａに着脱自在に水平に架け渡されるようになっている補助手摺りにおいて、手摺り本体５を、互いに入れ子式に嵌合する複数の棒状部材６，７によって伸縮自在に構成すると共に、これら棒状部材６，７を所要の伸縮位置に固定する固定手段８を設けてなる。【選択図】図７
2007002594.tif 000002
【特許請求の範囲】
【請求項１】
枠組足場の建枠間に張架される一対の斜材からなる交差筋違に着脱自在に水平に架け渡されるようになっている補助手摺りにおいて、手摺り本体を、互いに入れ子式に嵌合する複数の棒状部材によって伸縮自在に構成すると共に、これら棒状部材を所要の伸縮位置に固定する固定手段を設けてなることを特徴とする枠組足場の交差筋違用補助手摺り。
【請求項２】
前記固定手段は、径大側棒状部材の端部に表面側から内向き半径方向にねじ込まれて、当該径大側棒状部材内に嵌合する径小側棒状部材の表面に押し付けられる固定ボルトからなることを特徴とする請求項１に記載の枠組足場の交差筋違用補助手摺り。
【請求項３】
前記径小側棒状部材の表面には、前記固定ボルトが長手方向スライド自在に突入する凹溝が、前記径大側棒状部材内に嵌合する方の端部を残して全長に亘り形成されていることを特徴とする請求項２に記載の枠組足場の交差筋違用補助手摺り。
【請求項４】
前記径大側棒状部材の端部には、前記径小側棒状部材の表面に形成された凹溝に臨むように突出する棒状部材抜け止め具が設けられていることを特徴とする請求項３に記載の枠組足場の交差筋違用補助手摺り。
【請求項５】
前記手摺り本体の両端部には夫々、前記斜材の上側面部に掛止される側面視略下向きＬ字形の第１フックと、第１フックよりも外端寄りに位置して前記斜材の下側面部に掛止される側面視略上向きＬ字形の第２フックとが設けられ、第２フックは、その基軸部が手摺り本体に上下方向移動自在で軸線回りに回転自在に挿通支持されると共に、常時はバネによって上向きに付勢されていることを特徴とする請求項１〜４の何れかに記載の枠組足場の交差筋違用補助手摺り。
【発明の詳細な説明】
【技術分野】
【０００１】
本発明は、枠組足場の建枠間に張架される一対の斜材からなる交差筋違に着脱自在に水平に架け渡されるようになっている補助手摺りに関する。
【背景技術】
【０００２】
建築現場に架設される枠組足場においては、図８に示すように、足場板３の長手方向両サイドに沿った建枠１，１間に一対の斜材２ａ，２ａからなるＸ形の交差筋違２が架け渡されているため、この交差筋違２が安全柵となって、足場板３を渡る作業者の安全を図ることができる。ところが、このような交差筋違２は、同図から分かるように、その下部側が足場板３との間で略三角形に開口された状態となっているため、作業者が足場板３の上で中腰になって作業をするような場合に、上記三角形の開口部から誤って墜落する危険性があった。そこで、このような危険を防止するために、交差筋違２の下部側三角形開口部を形成する斜材２ａ，２ａに補助手摺り２４を水平に架け渡すようにしている。
【０００３】
上記従来の補助手摺り２４は、図示は省略するが、例えば特許文献１に記載されているように、長さが一定の１本の棒状手摺り本体からなるもので、この棒状手摺り本体にはその両端部に夫々フック等からなる引っ掛け手段が設けてあって、この引っ掛け手段を交差筋違の斜材に引っ掛けることにより、棒状手摺り本体を交差筋違に着脱自在に水平に架け渡すようにしている。
【特許文献１】特許第３００４９４４号公報
【発明の開示】
【発明が解決しようとする課題】
【０００４】
上記のように従来の補助手摺りは、長さが一定の棒状手摺り本体からなる一方、建枠や交差筋違は、メーカーごとに寸法が少しずつ異なっており、またそれらの寸法がインチサイズであったりメーターサイズであったりすることから、補助手摺りの使用にあたって、棒状手摺り本体を交差筋違の斜材に取り付ける際に所望高さ位置に的確に取り付けることができない、という問題があった。
【０００５】
本発明は、上記の課題に鑑み、手摺り本体を伸縮調整可能に構成することにより、この手摺り本体を交差筋違の斜材に対し所望高さ位置に的確に取り付けることができるようにした補助手摺りを提供することを目的とする。
【課題を解決するための手段】
【０００６】
上記課題を解決するための手段を、後述する実施形態の参照符号を付して説明すると、請求項１に係る発明の枠組足場の交差筋違用補助手摺りは、枠組足場の建枠１，１間に張架される一対の斜材２ａ，２ａからなる交差筋違２に着脱自在に水平に架け渡されるようになっている補助手摺りにおいて、手摺り本体５を、互いに入れ子式に嵌合する複数の棒状部材６，７によって伸縮自在に構成すると共に、これら棒状部材６，７を所要の伸縮位置に固定する固定手段８を設けてなることを特徴とする。
【０００７】
請求項２は、請求項１に記載の枠組足場の交差筋違用補助手摺りにおいて、前記固定手段８は、径大側棒状部材６の端部に表面側から内向き半径方向にねじ込まれて、当該径大側棒状部材６内に嵌合する径小側棒状部材７の表面の押し付けられる固定ボルト８ａからなることを特徴とする。
【０００８】
請求項３は、請求項２に記載の枠組足場の交差筋違用補助手摺りにおいて、前記径小側棒状部材７の表面には、前記固定ボルト８ａが長手方向スライド自在に突入する凹溝１９が、前記径大側棒状部材６内に嵌合する方の端部６ａを残して全長に亘り形成されていることを特徴とする。
【０００９】
請求項４は、請求項３に記載の枠組足場の交差筋違用補助手摺りにおいて、前記径大側棒状部材６の端部には、前記径小側棒状部材７の表面に形成された凹溝１９に臨むように突出する棒状部材抜け止め具１６が設けられていることを特徴とする。
【００１０】
請求項５は、請求項１〜４の何れかに記載の枠組足場の交差筋違用補助手摺りにおいて、前記手摺り本体５の両端部には夫々、前記斜材２ａの上側面部に掛止される側面視略下向きＬ字形の第１フック９と、第１フック９よりも外端寄りに位置して前記斜材２ａの下側面部に掛止される側面視略上向きＬ字形の第２フック１０とが設けられ、第２フック１０は、その基軸部１０ａが手摺り本体５に上下方向移動自在で軸線回りに回転自在に挿通支持されると共に、常時はバネ１１によって上向きに付勢されていることを特徴としている。
【発明の効果】
【００１１】
上記解決手段による発明の効果を、後述する実施形態の参照符号を付して説明すると、請求項１に係る発明によれば、手摺り本体５を、互いに入れ子式に嵌合する複数の棒状部材６，７によって伸縮自在に構成する共に、両棒状部材６，７を所要の伸縮位置に固定する固定手段８を設けているから、建枠１や交差筋違２の寸法が、メーカーごとに異なっていたり、またそれらの寸法がインチサイズであったりメーターサイズであったりしても、補助手摺り４を交差筋違２の斜材２ａ，２ａに取り付ける際に、手摺り本体５の長さを適宜に伸縮調整することによって、斜材２ａ，２ａの所望高さ位置に迅速容易に且つ的確に取り付ける固定することができる。
【００１２】
請求項２に係る発明によれば、固定手段８は、径大側棒状部材６の端部に表面側から内向き半径方向にねじ込まれて、この径大側棒状部材６内に嵌合する径小側棒状部材７の表面の押し付けられるボルト８ａからなるため、構造が簡単で製作が容易であると共に、操作が簡単で、手摺り本体５の伸縮調整が容易となる。
【００１３】
請求項３に係る発明によれば、径小側棒状部材７の表面には、固定ボルト８ａを長手方向スライド自在に突入させる凹溝１９が、径大側棒状部材６内に嵌合する方の端部６ａを残して（非溝部を形成して）全長に亘り形成されているから、棒状部材６，７が円筒形である手摺り本体５を伸縮調整する際に、固定ボルト８ａを緩めた状態で凹溝１９に沿ってスライドさせることにより、凹溝１９がガイド溝となって、径大側棒状部材６と径小側棒状部材７とが相対回転せず、伸縮操作が容易となる。また手摺り本体５を伸縮調整する際に、固定ボルト８ａを緩めた状態で凹溝１９内に突入させておけば、棒状部材６，７を最大限伸長させる時に固定ボルト８ａが凹溝１９の端部（非溝部）に引っ掛かるから、棒状部材の抜け出しを防止できる。
【００１４】
請求項４に係る発明によれば、径大側棒状部材６の端部には、径小側棒状部材７の表面に形成された凹溝１９に臨むように突出する棒状部材抜け止め具１６が設けられているから、固定ボルト８ａが径大側棒状部材６から外れていたり、またそのボルト８ａが径大側棒状部材６の内周面から突出しない程度に螺着されているような時にも、手摺り本体５を伸縮操作する際の棒状部材の抜け出しを確実に防止することができる。
【００１５】
請求項５に係る発明によれば、手摺り本体５の両端部には夫々、交差筋違２の斜材２ａの上側面部に掛止される側面視略下向きＬ字形の第１フック９と、第１フック９より外端寄りに位置して斜材２ａの下側面部に掛止される側面視略上向きＬ字形の第２フック１０とが設けられ、第２フック１０は、その基軸部１０ａが手摺り本体５に上下方向移動自在で軸線回りに回転自在に挿通支持されると共に、常時はバネ１１で上向きに付勢されているから、交差筋違２の斜材２ａ，２ａに対する補助手摺り４の取付操作を簡単容易に行なうことができる。
【発明を実施するための最良の形態】
【００１６】
図１の(a) は本発明に係る交差筋違用補助手摺り４の一部断面正面図、(b) は同補助手摺り４の底面図、(c) は同補助手摺り４の側面図である。この補助手摺り４は、互いに入れ子式に嵌合する径大側及び径小側の２本の棒状部材６，７によって伸縮自在に構成された手摺り本体５からなるもので、これら棒状部材６，７は所要の伸縮位置に固定手段８によって固定されるようになっている。この補助手摺り４が取り付けられる交差筋違２は、Ｘ形に交差される一対の斜材２ａ，２ａからなるもので、各斜材２ａの両端部が枠組足場の建枠１の縦材１ａに枢着される。固定手段８は蝶ボルト８ａからなる。
【００１７】
手摺り本体５を構成する棒状部材６，７は夫々鋼管材からなるもので、径大側棒状部材６の一端部（外端部）には、交差筋違２の斜材２ａの上側面部に掛止される側面視略下向きＬ字形の第１フック９と、この第１フック９よりも外端寄りに位置して斜材２ａの下側面部に掛止される側面視略上向きＬ字形の第２フック１０とが設けられ、第２フック１０は、その基軸部１０ａが手摺り本体５を上下方向に貫通してこの手摺り本体５に上下方向移動自在で軸線回りに回転自在に挿通支持れると共に、常時はコイルバネ１１によって上向きに付勢されている。また、径大側棒状部材６の他端部（内端部）には、両棒状部材６，７を所要の伸縮位置に固定する固定手段８が設けてある。
【００１８】
図２は手摺り本体５の径大側棒状部材６及びこれに取り付けられた第１フック９を示すもので、(a) は正面図、(b) は底面図、(c) は側面図である。第１フック９は、その基軸部９ａの下端部を径大側棒状部材６の端部所要部に貫通させて溶接することによって、側面視略下向きＬ字形に固定される。径大側棒状部材６の一端部にはまた第２フック１０の基軸部１０ａが貫通する貫通孔１２が設けられ、また径大側棒状部材６の一端部下側面には、手摺り本体５の収納保管時等に第２フック１０の先端立上部１０ｂを嵌合させる嵌合孔１３が設けられている。また径大側棒状部材６の他端部（内端部）にはその下側面に、固定手段８の蝶ボルト８ａが螺合するナット１４が溶接によって固着されられると共に、このナット１４の取付部にボルト挿通孔１５が設けてあり、このボルト挿通孔１５の手前側のネジ孔２０には、図１の(a) ，(b) に示すように、ビスからなる棒状部材抜け止め具１６がねじ込まれて、その先端部が径大側棒状部材６の内周面から突出している。
【００１９】
第２フック１０は、図４に示すように、基軸部１０ａの下端部から第１水平部１０ｃが直角に延設され、この第１水平部１０ｃから第２水平部１０ｄが前方へ直角に延設され、この第２水平部１０ｄの先端から先端立上部１０ｂが前記基軸部１０ａと平行に立ち上がっている。基軸部１０の上端部にはナット１７が螺合するネジ１０ｏが設けられている。この第２フック１０を径大側棒状部材６の一端部（外端部）に取り付けるには、図２に示される径大側棒状部材６の一端部の貫通孔１２に、その下方より第２フック１０の基軸部１０ａを上向きに挿通した後、この基軸部１０ａに対し上方よりコイルバネ１１を嵌装し、この基軸１０ａの上端部にナット１７を螺着すればよい。
【００２０】
図３は手摺り本体５の径小側棒状部材７及びこれに取り付けられる第１フック９を示すもので、(a) は正面図、(b) は底面図、(c) は(a) のＸ−Ｘ線断面図である。径小側棒状部材７の一端部（外端部）には径大側棒状部材６と同径の鋼管材からなる端管部材１８が同軸一体に取り付けられ、この端管部材１８に、径小側棒状部材７側の第１フック９及び第２フック１０が、上記径大側棒状部材６側の第１フック９及び第２フック１０と対向する位置にそれらと同様に取り付けられるようになっている（図１参照）。
【００２１】
即ち、図３の(a) 〜(c) から分かるように、径小側棒状部材７の表面にはその下側面に、前記固定手段８の蝶ボルト８ａ（固定ボルト）が長手方向スライド自在に突入する凹溝１９が、径大側棒状部材６内に嵌合する方の端部７ａを所要長さだけ残して（つまり、端部７ａに非溝部を形成して）その全長に亘り形成されている。そして、この径小側棒状部材７の非溝部と反対側の端部に、端管部材１８の一端部が外嵌されて例えば溶接によって一体的に固定されている。この端管部材１８には第１フック９が取り付けられると共に、この端管部材１８の他端部に、第２フック１０の基軸部１０ａが貫通する貫通孔１２が設けられ、また端管部材１８の一端部下側面には、手摺り本体５の収納保管時に第２フック１０の先端立上部１０ｂを嵌合させる嵌合孔１３が設けられている。この端管部材１８への第２フック１０の取付けについては、径大側棒状部材６の場合と同じである。尚、図３の(a) 〜(c) において、２１は端管部材１８を径小側棒状部材７に溶接して固着する際の溶接用の開口部である。
【００２２】
上述のように構成される交差筋違用補助手摺り４は、図７に示すように、あるいは従来技術を示す図８と同じ様にして、枠組足場の建枠１，１間に張架された交差筋違２の斜材２ａ，２ａに装着されるわけであるが、この補助手摺り４の装着方法について以下に説明する。
【００２３】
尚、この補助手摺り４は、非使用時には、第２フック１０を図１の(b) の仮想線で概略示すような収納位置にセットしておく。即ち、第２フック１０の基軸部１０ａを、図１の(a) ，(c) の実線図示位置から仮想線図示のようにコイルバネ１１に抗して押し下げた後、基軸部１０ａをその軸線回りに所要角度回転させて、先端立上部１０ｂを、径大側棒状部材６の嵌合孔１３に嵌合させ、また径小側棒状部材７では端管部材１８の嵌合孔１３に嵌合させることによって、収納位置にセットしておく。また非使用時には、固定手段８としての蝶ボルト８ａを緩め、径小側棒状部材７を径大側棒状部材６内に押し込んで、手摺り本体５を収縮状態にしておく。この収縮状態においては、蝶ボルト８ａを締め付けて、径大側棒状部材６と径小側棒状部材７とを互いに一体的に固定しておく。このような収納状態にしておくことにより、補助手摺り４全体が短く、コンパクトになって、梱包、収納、保管、運搬に便利となる。
【００２４】
しかして、この補助手摺り４を交差筋違２の斜材２ａ，２ａに装着するにあたっては、先ず、固定手段８の蝶ボルト８ａを緩めて径小側棒状部材７を径大側棒状部材６から引き出して伸長した後、蝶ボルト８ａを締め付けて手摺り本体５を伸長状態に固定しておく。この状態から、図７に示すように、手摺り本体５を水平姿勢で斜材２ａ，２ａに近づけ、手摺り本体５の両端部にある側面視略下向きＬ字形の第１フック９，９を斜材２ａ，２ａに夫々上方から掛止させる。
【００２５】
この時、第１フック９，９を掛止した手摺り本体５の取付高さが所望の位置よりも高い場合は、手摺り本体５を適宜に伸長操作して、その長さを長くすることにより、手摺り本体５を水平姿勢のまま所望の取付高さまで下げることができ、また手摺り本体５の取付高さが所望の位置よりも低い場合には、手摺り本体５を適宜に収縮操作して、その長さを短くすることにより、手摺り本体５を水平姿勢のまま所望の取付高さまで上げることができる。
【００２６】
こうして第１フック９，９を斜材２ａ，２ａに掛止した状態で手摺り本体５の取付高さを所望に設定したならば、各第２フック１０の基軸部１０ａをコイルバネ１１の付勢力に抗して押し下げて、第２フック１０の先端立上部１０ｂを嵌合孔１３から抜き出した後、この第２フック１０の基軸部１０ａをその軸線回りに外向きに略９０°回転させて、その押し下げている基軸部１０ａを解放すれば、この基軸部１０ａがコイルバネ１１によって上昇復帰し、しかして図５及び図６に示すように、両第２フック１０，１０の第２水平部１０ｄ，１０ｄが斜材２ａ，２ａの夫々下側面部に当接すると共に、先端立上部１０ｂ，１０ｂが斜材２ａ，２ａの夫々外側面部に当接掛止し、これによって手摺り本体５は斜材２ａ，２ａに対し水平姿勢で所望の高さ位置に保持固定される。
【００２７】
上記のようにして交差筋違２に装着された補助手摺り４を取り外す場合には、各第２フック１０の基軸部１０ａをコイルバネ１１に抗して押し下げ、先端立上部１０ｂを手摺り本体５の嵌合孔１３から抜き出した後、その基軸部１０ａを軸線回りに内向きに略９０°回転させた状態で、手摺り本体５を持ち上げれば、補助手摺り４を交差筋違２の斜材２ａ，２ａから簡単に取り外すことができる。
【００２８】
補助手摺り４を交差筋違２から取り外し後は、前述のように、各第２フック１０の先端立上部１０ｂを手摺り本体５嵌合孔１３に係合させて、各第２フック１０を手摺り本体５内に収納した状態に固定し、また手摺り本体５を収縮させて固定する。
【００２９】
以上説明したような補助手摺り４によれば、手摺り本体５が、互いに入れ子式に嵌合する複数の棒状部材６，７によって伸縮自在に構成されている共に、両棒状部材６，７を所要の伸縮位置に固定する固定手段８が設けられているから、建枠１や交差筋違２の寸法がメーカーごとに異なっていたり、またそれらの寸法がインチサイズであったりメーターサイズであったりしても、補助手摺り４を交差筋違２の斜材２ａ，２ａに取り付ける際に、手摺り本体５の長さを適宜に伸縮調整することによって、斜材２ａ，２ａの所望高さ位置に迅速容易に且つ的確に取り付ける固定することができる。
【００３０】
また、この補助手摺り４において、固定手段８は、径大側棒状部材６の端部に表面側から内向き半径方向にねじ込まれて、この径大側棒状部材６内に嵌合する径小側棒状部材７の表面の押し付けられる蝶ボルト８ａからなるため、構造が簡単で製作が容易であると共に、操作が簡単で、手摺り本体５の伸縮調整を迅速容易に行うことができる。尚、蝶ボルト８ａは、ボルトの頭部が蝶形を成すものであって、ボルトの締め付け及び緩ませ操作が手動で簡単に行なえるから便利であるが、普通のボルトでもよい。
【００３１】
また、この補助手摺り４では、径小側棒状部材７の表面には、蝶ボルト８ａを長手方向スライド自在に突入させる凹溝１９が、径大側棒状部材６内に嵌合する方の端部６ａを残して（非溝部を形成して）全長に亘り形成されているから、棒状部材６，７が円筒形である手摺り本体５を伸縮調整する際に、蝶ボルト８ａ、即ち固定ボルト８ａを緩めた状態で凹溝１９に沿ってスライドさせることにより、凹溝１９がガイド溝となって、径大側棒状部材６と径小側棒状部材７とが相対回転せず、伸縮操作が容易となる。また手摺り本体５を伸縮調整する際に、固定ボルト８ａを緩めた状態で凹溝１９内に突入させておけば、両棒状部材６，７を最大限伸長させる時に固定ボルト８ａが凹溝１９の端部（非溝部）に引っ掛かるから、一方の棒状部材から他方の棒状部材が抜け出ることがない。
【００３２】
また、この実施形態の補助手摺り４において、径大側棒状部材６の端部には、径小側棒状部材７の表面に形成された凹溝１９に臨むように突出する棒状部材抜け止め具１６が設けられているから、固定ボルト８ａが径大側棒状部材６に取り付けてあるナット１４から外れていたり、またそのボルト８ａが径大側棒状部材６の内周面から突出しない程度にナット１４に螺合されていても、手摺り本体５を伸縮操作する際の棒状部材の抜け出しを防止することができる。
【００３３】
また、この補助手摺り４においては、手摺り本体５の両端部には夫々、交差筋違２の斜材２ａの上側面部に掛止される側面視略下向きＬ字形の第１フック９と、第１フック９よりも外端寄りに位置して斜材２ａの下側面部に掛止される側面視略上向きＬ字形の第２フック１０とが設けられ、第２フック１０は、その基軸部１０ａが手摺り本体５に上下方向移動自在で軸線回りに回転自在に挿通支持れると共に、常時はバネ１１によって上向きに付勢されているから、前述したように交差筋違２の斜材２ａ，２ａに対する補助手摺り４の取付操作が簡単容易となる。
【００３４】
以上の実施形態では、手摺り本体５が径大側棒状部材６と径小側棒状部材７との２つの棒状部材からなるものについて説明したが、本発明に係る補助手摺り４の手摺り本体５は、３つ以上の棒状部材からなるものでもよい。
【００３５】
また実施形態では、棒状部材６，７を夫々断面が円形状の部材によって形成したが、棒状部材６，７は夫々断面形状が四角形等の非円形部材によって形成することができる。
【００３６】
また実施形態の補助手摺り４では、径小側棒状部材７の一端部（外端部）に、径大側棒状部材６と同径の鋼管材からなる端管部材１８が同軸一体に取り付けられ、この端管部材１８に径小側棒状部材７側の第１フック９及び第２フック１０が取り付けられているが、このような端管部材１８を使用せず、径小側棒状部材７の一端部（外端部）に直接的に第１フック９及び第２フック１０を取り付けるようにしてもよい。しかしながら、この実施形態のように、径小側棒状部材７の一端部（外端部）に、径大側棒状部材６と同径の鋼管材からなる端管部材１８を取り付けることによって、手摺り本体５の両端部に対し夫々同じ寸法の第１，第２フック９，１０を取り付けることができ、従って第１フック９及び第２フック１０の製造コストが安くできると共に、手摺り本体５への取付作業が容易となる。
【図面の簡単な説明】
【００３７】
【図１】(a) は本発明に係る交差筋違用補助手摺りの一部断面正面図、(b) は同補助手摺りの底面図、(c) は同補助手摺りの側面図である。
【図２】手摺り本体の径大側棒状部材及びこれに取り付けられた第１フックを示し、 (a)は正面図、(b) は底面図、(c) は側面図である。
【図３】手摺り本体の径小側棒状部材及びこれに取り付けられる第１フックを示し、 (a)は正面図、(b) は底面図、(c) は(a) のＸ−Ｘ線断面図である。
【図４】第２フックを示すもので、(a) は本発明に係る交差筋違用補助手摺りを示すもので、(a) は斜視図、(b) は正面図、(c) は平面図、(d) は側面図、(e) は第２フックの基軸部に嵌装されるコイルバネである。
【図５】手摺り本体の一端部側を交差筋違の斜材に取り付けた状態を示す斜視図である。
【図６】手摺り本体の他端部側を交差筋違の斜材に取り付けた状態を示す斜視図である。
【図７】建枠間に張架される交差筋違に補助手摺りを取り付けた状態を示す概略正面図である。
【図８】交差筋違への補助手摺りの装着状態を示す概略斜視図である。
【符号の説明】
【００３８】
１            枠組足場の建枠
２            交差筋違
２ａ          斜材
３            足場板
４            補助手摺り
５            手摺り本体
６            径大側棒状部材
７            径小側棒状部材
８            固定手段
８ａ          蝶ボルト（固定ボルト）
９            第１フック
１０          第２フック
１１          コイルバネ
１６          棒状部材抜け止め具
１９          凹溝
【図１】
2007002594.tif 000003
【図２】
2007002594.tif 000004
【図３】
2007002594.tif 000005
【図４】
2007002594.tif 000006
【図５】
2007002594.tif 000007
【図６】
2007002594.tif 000008
【図７】
2007002594.tif 000009
【図８】
2007002594.tif 000010